(57)【要約】【課題】１つのフットコントローラにより、歯科治療ユニット及び外部歯科治療ユニットに接続された複数のインスツルメントの操作を可能とする歯科治療ユニットを提供する。【解決手段】フットコントローラ１８と複数のインスツルメント１７を備え、フットコントローラ１８からの操作信号に基づいて、複数のインスツルメント１７の１つに駆動信号を送信する歯科治療ユニット１０である。各インスツルメント１７に設けられたデータキャリア３１と、データキャリア３１を読み取る読取装置３０と、読取装置３０からデータキャリア３１の読み取りを通知する信号を受け、複数のインスツルメント１７の中から、読取装置３０により読み取られたデータキャリア３１を設けたインスツルメント１７を特定し、フットコントローラ１８からの操作信号に基づいて、特定したインスツルメント１７に駆動信号を送信する制御部２０を備える。【選択図】図１
2018175124.tif 000002
【特許請求の範囲】
【請求項１】
フットコントローラと複数のインスツルメントを備え、前記フットコントローラからの操作信号に基づいて、複数の前記インスツルメントの１つに駆動信号を送信する歯科治療ユニットであって、
各前記インスツルメントに設けられたデータキャリアと、
該データキャリアを読み取る読取装置と、
該読取装置から前記データキャリアの読み取りを通知する信号を受け、前記複数のインスツルメントの中から、前記読取装置により読み取られた前記データキャリアを設けた前記インスツルメントを特定し、前記フットコントローラからの操作信号に基づいて、特定した前記インスツルメントに駆動信号を送信する制御部を備えたことを特徴とする歯科治療ユニット。
【請求項２】
前記読取装置が、前記歯科治療ユニットの一部又は該歯科治療ユニットの周辺に設けられていることを特徴とする請求項１に記載の歯科治療ユニット。
【請求項３】
前記制御部が、一の前記インスツルメントを特定した状態で、前記読取装置から、特定した一の前記インスツルメントと異なる他の前記インスツルメントに付された前記データキャリアの読み取りを通知する信号を受けた場合、一の前記インスツルメントに対する特定を解除することを特徴とする請求項１又は２に記載の歯科治療ユニット。
【請求項４】
前記制御部が、一の前記インスツルメントを特定した状態で、前記読取装置から、特定した一の前記インスツルメントに付された前記データキャリアの読み取りを通知する信号を受けた場合、一の前記インスツルメントに対する特定を解除することを特徴とする請求項１乃至３のいずれか１に記載の歯科治療ユニット。
【請求項５】
特定解除用の読取装置をさらに有し、該特定解除用の読取装置から、既に特定した一の前記インスツルメントに付された前記データキャリアの読み取りを通知する信号を受けた場合、一の前記インスツルメントに対する特定を解除することを特徴とする請求項１乃至４のいずれか１に記載の歯科治療ユニット。
【請求項６】
前記制御部が、各前記インスツルメントと前記データキャリアとの対応関係を記録した管理テーブルを有することを特徴とする請求項１乃至５のいずれか１に記載の歯科治療ユニット。
【請求項７】
前記歯科治療ユニットが、前記インスツルメントとは異なる外部インスツルメントを有する外部歯科治療ユニットを接続可能であり、前記管理テーブルに、前記外部インスツルメントと該外部インスツルメントに設けられたデータキャリアとの対応関係を登録可能であることを特徴とする請求項６に記載の歯科治療ユニット。
【請求項８】
前記歯科治療ユニットに前記外部歯科治療ユニットが接続され、前記制御部が前記読取装置から前記外部インスツルメントに設けたデータキャリアの読み取りを通知する信号を受けた場合、前記制御部が、前記管理テーブルから前記外部インスツルメントを特定し、前記フットコントローラからの操作信号に基づいて、特定した前記外部インスツルメントに駆動信号を送信することを特徴とする請求項７に記載の歯科治療ユニット。
【請求項９】
前記歯科治療ユニットが、該歯科治療ユニットと通信可能な外部端末からの情報に基づいて、前記管理テーブルを更新可能であることを特徴とする請求項６乃至８のいずれか１に記載の歯科治療ユニット。                                                                                 
【発明の詳細な説明】
【技術分野】
【０００１】
本発明は歯科治療ユニットに関し、詳しくは、複数の歯科治療用のインスツルメントから、一のインスツルメントをデータキャリアにより識別し、１つのフットコントローラの操作により、当該インスツルメントを駆動させる歯科治療ユニットに関する。
【背景技術】
【０００２】
図７は、本発明が適用される歯科治療ユニットの一例を示す全体構成図である。図の歯科治療ユニットは、治療椅子１１、バックレスト１２、スピットン１３、無影灯１４、ワークテーブル１５、インスツルメントホルダ１６、インスツルメント１７、フットコントローラ１８、ディスプレイ１９等からなる。歯科治療に当たり、患者は治療椅子１１に座り、背をバックレスト１２にもたれて治療を受ける。治療中、術者は治療椅子１１を上下動、倒起動、傾斜動等させて、患者を治療し易いようにして治療を行う。
【０００３】
上述のごとき歯科治療ユニットにおいて、インスツルメントホルダ１６には、エアタービン、マイクロエンジン、シリンジ等種々の歯科治療用のインスツルメント１７が搭載され、必要とされるインスツルメント１７がインスツルメントホルダ１６から引き出されて使用される。そして、インスツルメント１７の操作は、治療椅子１１に対しバックレスト１２のある側の床面に設置されたフットコントローラ１８を通じて行われる。
【０００４】
特許文献１には、取り替えて用いられる複数の多種多様なインスツルメント又は該インスツルメントの一部を為すハンドピースを適切に動作させたり、適切な設定を表示したりすることができる診療装置が開示されている。
【０００５】
特許文献２には、使用したインスツルメントを個別に識別してその使用時間を自動的に記録する歯科診療システムが開示されている。
【先行技術文献】
【特許文献】
【０００６】
【特許文献１】特開２０１１−１８２８４９号公報
【特許文献２】特開２０１５−１４２６９０号公報
【発明の概要】
【発明が解決しようとする課題】
【０００７】
ところで、近年、歯科治療ユニット以外に、その周辺に独立して設置される外部歯科治療ユニットを使用した治療の機会が増えている。外部歯科治療ユニットとしては、根管拡大や根管洗浄といったエンド治療に用いられるものや、骨切削のような口腔外科治療に用いられるもの、その他レーザ治療機器等があり、いずれも専用のフットコントローラ（フットスイッチともいう）を通じて術者により操作される。
【０００８】
その為、歯科治療ユニット以外に、外部歯科治療ユニットを使用する際には、歯科治療ユニット用のフットコントローラと外部歯科治療ユニット用のフットコントローラとが並置されることになり、同時に使用する外部歯科治療ユニットの数が増えると、更に複数のフットコントローラを設置する必要が生じる。
【０００９】
しかし、このように複数設置されたフットコントローラを術者が治療行為をしながら正確に踏み分けることは難しく、常に踏み間違いの虞がある。また、通常、歯科治療の現場には、術者の補助をするアシスタントが存在し、術者の指示の下、様々な補助業務を行っている。こうした補助業務には、術者の指示によって、複数のフットコントローラを術者が操作し易い位置に配置換えすることも含まれるが、アシスタントにとって作業負担が大きい。また、アシスタントがフットコントローラの位置を間違えて配置することにより事故が発生する虞もある。
【００１０】
例えば、歯牙切削用のハンドピースの刃物をアシスタントが交換する作業中に、術者がフットコントローラを踏み間違えて、アシスタントが交換作業中の刃物が回転し、アシスタントが怪我をする事故が発生し得る。特に、口腔外科治療に用いられる外部歯科治療ユニットは、通常の治療に用いられる器具よりも高出力であることから、術者がフットコントローラの踏み間違いにより、これを誤って動作させたときには、より甚大な事故が発生し得る。また、こうした歯牙切削に用いられた刃物には、患者の血液や口腔内の雑菌等が付着しており、怪我をしたアシスタントが何らかの病原体に感染する事故も発生し得る。
【００１１】
また、フットコントローラが設置される術者の足下の床面は、概して非衛生的な環境(「不潔域」と呼ばれる)である。アシスタントは、上記の通り、フットコントローラの配置換え以外の作業にも従事することから、本来、アシスタントが配置換え作業により不潔域と接触することは好ましくない。特に、口腔外科治療のような高度の衛生状態を要求される歯科治療の現場においては、このような状況は、より避けるべきものである。
【００１２】
その為、アシスタントによるフットコントローラの配置換え作業を伴わずに、歯科治療ユニット及び外部歯科治療ユニットに接続された複数のインスツルメントを切り替えて、術者が１つの操作装置で所望のインスツルメントを使用することができることが望ましい。特許文献１及び２に記載された発明は、いずれもこうした問題を解決するものではない。
【００１３】
本発明は、このような実情に鑑みてなされたものであり、歯科治療ユニット及び外部歯科治療ユニットに接続され、データキャリアが付された複数のインスツルメントから、読取装置により読み取られたデータキャリアを有する一のインスツルメントを識別し、当該インスツルメントの駆動制御を開始し、１つのフットコントローラによる当該インスツルメントの操作を可能とする歯科治療ユニットを提供することをその目的とする。
【課題を解決するための手段】
【００１４】
上記課題を解決するために、請求項１の発明は、フットコントローラと複数のインスツルメントを備え、前記フットコントローラからの操作信号に基づいて、複数の前記インスツルメントの１つに駆動信号を送信する歯科治療ユニットであって、各前記インスツルメントに設けられたデータキャリアと、該データキャリアを読み取る読取装置と、該読取装置から前記データキャリアの読み取りを通知する信号を受け、前記複数のインスツルメントの中から、前記読取装置により読み取られた前記データキャリアを設けた前記インスツルメントを特定し、前記フットコントローラからの操作信号に基づいて、特定した前記インスツルメントに駆動信号を送信する制御部を備えたことを特徴とするものである。
【００１５】
請求項２の発明は、請求項１の発明において、前記読取装置が、前記歯科治療ユニットの一部又は該歯科治療ユニットの周辺に設けられていることを特徴とするものである。
【００１６】
請求項３の発明は、請求項１又は２の発明において、前記制御部が、一の前記インスツルメントを特定した状態で、前記読取装置から、特定した一の前記インスツルメントと異なる他の前記インスツルメントに付された前記データキャリアの読み取りを通知する信号を受けた場合、一の前記インスツルメントに対する特定を解除することを特徴とするものである。
【００１７】
請求項４の発明は、請求項１乃至３のいずれか１の発明において、前記制御部が、一の前記インスツルメントを特定した状態で、前記読取装置から、特定した一の前記インスツルメントに付された前記データキャリアの読み取りを通知する信号を受けた場合、一の前記インスツルメントに対する特定を解除することを特徴とするものである。
【００１８】
請求項５の発明は、請求項１乃至４のいずれか１の発明において、特定解除用の読取装置をさらに有し、該特定解除用の読取装置から、既に特定した一の前記インスツルメントに付された前記データキャリアの読み取りを通知する信号を受けた場合、一の前記インスツルメントに対する特定を解除することを特徴とするものである。
【００１９】
請求項６の発明は、請求項１乃至５のいずれか１の発明において、前記制御部が、各前記インスツルメントと前記データキャリアとの対応関係を記録した管理テーブルを有することを特徴とするものである。
【００２０】
請求項７の発明は、請求項６の発明において、前記歯科治療ユニットが、前記インスツルメントとは異なる外部インスツルメントを有する外部歯科治療ユニットを接続可能であり、前記管理テーブルに、前記外部インスツルメントと該外部インスツルメントに設けられたデータキャリアとの対応関係を登録可能であることを特徴とするものである。
【００２１】
請求項８の発明は、請求項７の発明において、前記歯科治療ユニットに前記外部歯科治療ユニットが接続され、前記制御部が前記読取装置から前記外部インスツルメントに設けたデータキャリアの読み取りを通知する信号を受けた場合、前記制御部が、前記管理テーブルから前記外部インスツルメントを特定し、前記フットコントローラからの操作信号に基づいて、特定した前記外部インスツルメントに駆動信号を送信することを特徴とするものである。
【００２２】
請求項９の発明は、請求項６乃至８のいずれか１の発明において、前記歯科治療ユニットが、該歯科治療ユニットと通信可能な外部端末からの情報に基づいて、前記管理テーブルを更新可能であることを特徴とするものである。
【発明の効果】
【００２３】
本発明によれば、歯科治療ユニットに接続されたインスツルメントのみならず、外部歯科治療ユニットに接続されたインスツルメント（外部インスツルメント）についても、術者が使用しようとする各インスツルメントに備えられたデータキャリアを読取装置に読み取らせることによって、特定されたインスツルメントに対する駆動制御が開始され、特定されたインスツルメントはアクティブ状態になる。これにより、術者は、１つの操作装置、すなわちフットコントローラのみにより、すべてのインスツルメントに対する操作が可能になり、複数のフットコントローラの踏み間違いがなくなる。また、外部歯科治療ユニットの増加にも対応でき、かつ、フットコントローラの配置換え作業をなくすことで、アシスタントの作業負担を軽減し、アシスタントが事故に遭うリスクを低減することができる。
【図面の簡単な説明】
【００２４】
【図１】本発明の一実施形態に係る歯科治療ユニットを構成する読取装置をバックレストに備えた治療椅子の側面図である。
【図２】本発明の一実施形態に係る歯科治療ユニットを構成する歯科治療用のインスツルメントと該インスツルメントが備えるデータキャリアを示す図である。
【図３】本発明の一実施形態に係る歯科治療ユニット及び該歯科治療ユニットに接続された外部歯科治療ユニットの構成を示すブロック図である。
【図４】本発明の一実施形態に係る歯科治療ユニットを構成する歯科治療用のインスツルメントを駆動制御する際のフローチャートである。
【図５】本発明の一実施形態に係る歯科治療ユニットが特定解除用の読取装置をさらに有し、該特定解除用の読取装置からデータキャリアの読み取りを通知する信号を受けた際のフローチャートである。
【図６】本発明の一実施形態に係る歯科治療ユニットに接続された外部歯科治療ユニットを構成するデータキャリアと該データキャリアを備えた外部インスツルメントとの対応関係を管理テーブルに登録する際のフローチャートの一例である。
【図７】本発明の一実施形態に係る歯科治療ユニットの一例を示す全体構成図である。
【発明を実施するための形態】
【００２５】
以下、図面を参照しながら、本発明の歯科治療ユニットに係る好適な実施の形態について説明する。以下の説明において、異なる図面においても同じ符号を付した部材は同じものであるとして、その説明を省略する場合がある。
【００２６】
図１は、本発明の一実施形態に係る歯科治療ユニット１０を構成する読取装置３０をバックレスト１２に備えた治療椅子１１の側面図である。図１に示すように、患者５０は、治療椅子１１に着座し、バックレスト１２に背をもたれて、治療姿勢に置かれる。歯科治療ユニット１０は、その一部（例えば、バックレスト１２、スピットン１３、ワークテーブル１５）又はその周辺（例えば、歯科治療ユニット１０の周辺に設置された、図示しないカート）に、１つ又は複数の読取装置３０を備えている。なお、読取装置３０は、１つの場所に限定されず、複数の異なる場所に設けられてもよい。
【００２７】
また、インスツルメント１７は、読取装置３０によって読み取られるデータキャリア３１を備えている。データキャリア３１としては、例えば、光学的に読み取られるバーコードのような一次元シンボルやＱＲコード（登録商標）のような二次元シンボル、電磁的に読み取られるＩＣタグ等を用いることができる。ＩＣタグを用いる場合、読取装置３０の読取距離は、一次元シンボルや二次元シンボルを用いる場合と同等の距離になるように設定される。インスツルメント１７は、術者５０が該インスツルメント１７に付されたデータキャリア３１を読取装置３０に近づけることによって読取装置３０に読み取らせると、駆動制御が開始され、術者５１の足下に置かれたフットコントローラ１８によって操作が可能なアクティブ状態となる。
【００２８】
図２は、本発明の一実施形態に係る歯科治療ユニット１０を構成する歯科治療用のインスツルメント１７と該インスツルメント１７が備えるデータキャリア３１を示す図である。本図では、データキャリア３１は、歯科治療中に患者５０の口腔内に入るインスツルメント１７の先端側とは反対側の根元付近の表面に設けられているが、データキャリア３１がＩＣタグである場合は、インスツルメント１７の内部に設けられてもよい。また、インスツルメント１７の代わりに、後述する外部歯科治療ユニット４０を構成する外部インスツルメント４２にデータキャリア３１が設けられる場合も同様である。
【００２９】
図３は、本発明の一実施形態に係る歯科治療ユニット１０及び該歯科治療ユニット１０に接続された外部歯科治療ユニット４０の構成を示すブロック図である。歯科治療ユニット１０は、データキャリア３１を其々備えた複数のインスツルメント１７と、フットコントローラ１８と、第一制御部２０と、読取装置３０とを有している。一対のインスツルメント１７及びデータキャリア３１は、複数あることを示すため、其々の末尾にＡ〜Ｅの符号を付しているが、インスツルメント１７及びデータキャリア３１の個数はこれに限られない。
【００３０】
第一制御部２０は、ワークテーブル１５を介して、各インスツルメント１７と接続されている。また、第一制御部２０は、読取装置３０、フットコントローラ１８及びディスプレイ１９とも接続されている。さらに、第一制御部２０は、外部歯科治療ユニット４０との接続を実現する接続モジュール３２とも接続されている。
【００３１】
外部歯科治療ユニット４０は、データキャリア３１を備えた外部インスツルメント４２と、第二制御部４１とを有している。第二制御部４１は、外部インスツルメント４２と接続されている。また、第二制御部４１は、歯科治療ユニット１０との接続を実現する接続モジュール４３とも接続されている。そして、歯科治療ユニット１０が有する接続モジュール３２及び外部歯科治療ユニット４０が有する接続モジュール４３は相互に接続され、双方向の通信が可能になっている。
【００３２】
本図では、１つの外部歯科治療ユニット４０が図示されているが、複数の外部歯科治療ユニット４０が、接続モジュール３２及び接続モジュール４３を介して、歯科治療ユニット１０に同時に接続されている構成も本発明の実施形態に含まれる。ゆえに、外部インスツルメント４２及びデータキャリア３１は、複数中の一対であることを示すものとして、其々の末尾にＸの符号を付されている。
【００３３】
第一制御部２０は、記憶部２１、検出部２２、登録部２３、通信部２４、表示制御部２５、操作信号受信部２６、駆動信号送信部２７を有する。記憶部２１は、インスツルメント１７及び外部インスツルメント４２の其々とデータキャリア３１との対応関係を記録した管理テーブルを有する。検出部２２は、データキャリア３１を読み取った読取装置３０から、データキャリア３１の読取信号を受信し、該読取信号からデータキャリア３１の固有情報（ＩＤ）を検出し、記憶部２１に記録した管理テーブルから、当該データキャリア３１を備えたインスツルメント１７又は外部インスツルメント４２を特定し、アクティブ状態にする。
【００３４】
登録部２３は、外部インスツルメント４２とデータキャリア３１との対応関係を、記憶部２１の管理テーブルに登録するためのものである。インスツルメント１７の其々とデータキャリア３１との対応関係は、記憶部２１の管理テーブルに予め記録されている。しかし、データキャリア３１を備えた複数のインスツルメント１７の構成に変更があれば、登録部２３を通じて、当該変更後の構成を記憶部２１の管理テーブルに登録することができるようにしてもよい。
【００３５】
通信部２４は、接続モジュール３２及び接続モジュール４３を介して、外部歯科治療ユニット４０の第二制御部４１との間で行われる通信を制御する。通信部２４により、外部歯科治療ユニット４０のデータキャリア３１を備えた外部インスツルメント４２は、上記の登録部２３による対応関係の登録を経て、歯科治療ユニット１０のデータキャリア３１を備えたインスツルメント１７と同様に扱うことが可能になる。
【００３６】
また、通信部２４は、図示しない携帯電話やＰＣのような汎用的な外部端末との通信を制御するように構成されてもよい。当該外部端末に専用アプリケーションをインストールし、外部インスツルメント４２に関する情報及び該外部インスツルメント４２とデータキャリア３１との対応関係を記録した記憶部２１の管理テーブルを外部から更新可能とすることで、以下のことが実現できる。
【００３７】
例えば、外部歯科治療ユニット４０の製造者、販売者等が、新たに購入された外部歯科治療ユニット４０をユーザに向け出荷する際に、当該外部歯科治療ユニット４０に含まれる外部インスツルメント４２及びデータキャリア３１について、管理テーブルの更新を予め行うことで、ユーザは、当該外部インスツルメント４２及びデータキャリア３１の登録作業を行う必要がなくなる。したがって、ユーザは、外部歯科治療ユニット４０を購入後、歯科治療ユニット１０に接続するだけで、フットコントローラ１８を通じて外部インスツルメント４２の操作を行うことができる。
【００３８】
表示制御部２５は、ディスプレイ１９の表示を制御し、登録部２３を通じて、外部インスツルメント４２とデータキャリア３１との対応関係を記憶部２１の管理テーブルに登録する際に、ディスプレイ１９に必要な表示を行う。また、表示制御部２５は、特定され、アクティブ状態にあるインスツルメント１７又は外部インスツルメント４２をディスプレイ１９に表示してもよい。
【００３９】
操作信号受信部２６は、フットコントローラ１８からの操作信号を受信する。駆動信号送信部２７は、特定され、アクティブ状態にあるインスツルメント１７又は外部インスツルメント４２に対し、フットコントローラ１８からの操作信号に基づく駆動信号を送信する。ここで、インスツルメント１７及び外部インスツルメント４２は、いずれも固有のＩＤを有し、互いに識別可能であり、駆動信号送信部２７は、当該ＩＤに基づいて、駆動信号を送信するインスツルメント１７又は外部インスツルメント４２を特定し、切り替えを行う。上記の外部インスツルメント４２に関する情報には、この固有のＩＤが含まれる。
【００４０】
図４は、本発明の一実施形態に係る歯科治療ユニット１０を構成する歯科治療用のインスツルメント１７を駆動制御する際のフローチャートである。まず、検出部２２は、読取装置３０からデータキャリア３１の読取信号を受信したか否かを判定する(ステップＳ１０１)。読取信号を受信していない場合(ステップＳ１０１においてＮＯの場合)、読取信号を受信するまで、その状態を維持する。
【００４１】
読取信号を受信した場合(ステップＳ１０１においてＹＥＳの場合)、検出部２２は、データキャリア３１とインスツルメント１７との対応関係が記録された管理テーブルを参照する(ステップＳ１０２)。次に、検出部２２は、読取信号を受信したデータキャリア３１について、インスツルメント１７との対応関係が管理テーブルに登録済みであるか否かを判定する(ステップＳ１０３)。当該対応関係が管理テーブルに登録済みでない場合(ステップＳ１０３においてＮＯの場合)、ステップＳ１０１に戻り、新たな読取信号を受信するまで、その状態を維持する。
【００４２】
当該対応関係が管理テーブルに登録済みである場合(ステップＳ１０３においてＹＥＳの場合)、検出部２２は、読取信号を受信したデータキャリア３１を備えたインスツルメント１７を特定する(ステップＳ１０４)。インスツルメント１７は、特定されると、フットコントローラ１８からの操作信号によって動作可能なアクティブ状態となる。次に、操作信号受信部２６は、フットコントローラ１８から操作信号を受信したか否かを判定する(ステップＳ１０５)。操作信号を受信していない場合(ステップＳ１０５においてＮＯの場合)、操作信号を受信するまで、その状態を維持する。
【００４３】
操作信号受信部２６が操作信号を受信した場合(ステップＳ１０５においてＹＥＳの場合)、駆動信号送信部２７は、ステップＳ１０４で特定され、アクティブ状態にあるインスツルメント１７に駆動信号を送信する（ステップＳ１０６）。この状態で、検出部２２は、読取装置３０からデータキャリア３１の読取信号を受信したか否かを判定する(ステップＳ１０７)。読取信号を受信していない場合(ステップＳ１０７においてＮＯの場合)、読取信号を受信するまで、その状態を維持する。
【００４４】
読取信号を受信した場合(ステップＳ１０７においてＹＥＳの場合)、検出部２２は、ステップＳ１０４で特定し、アクティブ状態にあるインスツルメント１７に対する特定を解除する（ステップＳ１０８）。特定を解除されたインスツルメント１７は、非アクティブ状態になる。そして、検出部２２は、ステップＳ１０８で読取装置３０から受信した読取信号が、ステップＳ１０４で特定したインスツルメント１７に付されたデータキャリア３１のものであったか否かを判定する(ステップＳ１０９)。
【００４５】
読取信号が当該データキャリア３１のものでなかった場合(ステップＳ１０９においてＮＯの場合)、ステップＳ１０２に戻り、以降の処理を続ける。読取信号が当該データキャリア３１のものであった場合(ステップＳ１０９においてＹＥＳの場合)、インスツルメント１７の駆動処理は終了する。
【００４６】
図５は、本発明の一実施形態に係る歯科治療ユニット１０が特定解除用の読取装置３０をさらに有し、該特定解除用の読取装置３０からデータキャリア３１の読み取りを通知する信号を受けた際のフローチャートである。このフローチャートにおけるステップＳ２０１〜Ｓ２０３は、歯科治療ユニット１０が特定解除用の読取装置３０を有する構成において、図４で示されたステップＳ１０７〜Ｓ１０９（同図では、点線で囲われている）を置き換えるものである。図４で既に説明したステップＳ１０６までのフローについては、前述の通りであるので省略する。
【００４７】
まず、検出部２２は、特定解除用の読取装置３０からデータキャリア３１の読取信号を受信したか否かを判定する(ステップＳ２０１)。読取信号を受信していない場合(ステップＳ２０１においてＮＯの場合)、読取信号を受信するまで、その状態を維持する。
【００４８】
読取信号を受信した場合(ステップＳ２０１においてＹＥＳの場合)、検出部２２は、受信した読取信号がステップＳ１０４で特定し、アクティブ状態にあるインスツルメント１７に付されたデータキャリア３１のものであるか否かを判定する(ステップＳ２０２)。読取信号が当該データキャリア３１のものでない場合(ステップＳ２０２においてＮＯの場合)、ステップＳ２０１に戻り、特定解除用の読取装置３０から新たな読取信号を受信するまで、その状態を維持する。
【００４９】
読取信号が当該データキャリア３１のものである場合(ステップＳ２０２においてＹＥＳの場合)、検出部２２は、ステップＳ１０４で特定されたインスツルメント１７に対する特定を解除し（ステップＳ２０３）、特定を解除されたインスツルメント１７は非アクティブ状態になり、インスツルメント１７の駆動処理は終了する。
【００５０】
図６は、本発明の一実施形態に係る歯科治療ユニット１０に接続された外部歯科治療ユニット４０を構成するデータキャリア３１と該データキャリア３１を備えた外部インスツルメント４２との対応関係を管理テーブルに登録する際のフローチャートの一例である。歯科治療ユニット１０の表示制御部２５は、ディスプレイ１９に設けられたタッチパネル上に登録ボタンを表示し、登録部２３は、該登録ボタンが押されたか否かを判定する(ステップＳ３０１)。前記登録ボタンが押されていない場合(ステップＳ３０１においてＮＯの場合)、前記登録ボタンが押されるまで、その状態を維持する。
【００５１】
前記登録ボタンが押された場合(ステップＳ３０１においてＹＥＳの場合)、管理テーブルに外部インスツルメント４２の登録を受付ける（ステップＳ３０２）。外部インスツルメント４２の登録は、例えば、歯科治療ユニット１０が備えるディスプレイ１９上に、表示制御部２５によって管理テーブルを表示させながら、図示しないキーボードやマウス、あるいは前記タッチパネル等の入力手段を用いて、外部インスツルメント４２に関する情報を管理テーブルに入力することにより可能である。
【００５２】
また、通信部２４が、接続モジュール３２及び接続モジュール４３を介して、外部歯科治療ユニット４０の第二制御部４１から外部インスツルメント４２に関する情報を取得し、記憶部２１の管理テーブルに記録する構成とすることもできる。
【００５３】
次に、検出部２２は、読取装置３０からデータキャリア３１の読取信号を受信したか否かを判定する(ステップＳ３０３)。読取信号を受信していない場合(ステップＳ３０３においてＮＯの場合)、読取信号を受信するまで、その状態を維持する。
【００５４】
読取信号を受信した場合(ステップＳ３０３においてＹＥＳの場合)、登録部２３は、当該読取信号から検出したデータキャリア３１の固有情報（ＩＤ）を管理テーブルに追加する(ステップＳ３０４)。さらに、登録部２３は、データキャリア３１の固有情報（ＩＤ）と上記ステップＳ３０２で登録された外部インスツルメント４２を紐付けし、データキャリア３１と該データキャリア３１を備えた外部インスツルメント４２との対応関係を管理テーブルに登録し(ステップＳ３０５)、当該対応関係の登録処理は終了する。
【符号の説明】
【００５５】
１０…歯科治療ユニット、１１…治療椅子、１２…バックレスト、１３…スピットン、１４…無影灯、１５…ワークテーブル、１６…インスツルメントホルダ、１７…インスツルメント、１８…フットコントローラ、１９…ディスプレイ、２０…第一制御部、２１…記憶部、２２…検出部、２３…登録部、２４…通信部、２５…表示制御部、２６…操作信号受信部、２７…駆動信号送信部、３０…読取装置、３１…データキャリア、３２，４３…接続モジュール、４０…外部歯科治療ユニット、４１…第二制御部、４２…外部インスツルメント、５０…患者、５１…術者。
【図１】
2018175124.tif 000003
【図２】
2018175124.tif 000004
【図３】
2018175124.tif 000005
【図４】
2018175124.tif 000006
【図５】
2018175124.tif 000007
【図６】
2018175124.tif 000008
【図７】
2018175124.tif 000009